(57)【要約】【課題】手袋を着用した状態で粘着製品を取り扱う場合に、作業操作に影響を与えることなく、粘着製品が手袋に付着することを防止することのできる、手袋用の粘着性低減組成物を提供する。【解決手段】前記組成物は、（Ａ）消毒用アルコール  ６０〜９０容量％、（Ｂ）水溶性多価アルコール  ３〜３０容量％を含む。【選択図】なし【特許請求の範囲】
【請求項１】
以下の成分：
（Ａ）消毒用アルコール      ６０〜９０容量％
（Ｂ）水溶性多価アルコール    ３〜３０容量％
を含む、手袋用の粘着性低減組成物。
【発明の詳細な説明】
【技術分野】
【０００１】
本発明は、手袋用粘着性低減組成物に関する。
【背景技術】
【０００２】
医療従事者が病院内で処置をする場合、院内感染の予防等のため、使い捨て（ディスポーザブル）の手袋を着用している。しかし、医療現場では、種々の粘着製品、例えば、絆創膏（布絆創膏、紙絆、プラスチック絆創膏）、縫合用テープ（サージカルテープ）、ドレッシング、防水フィルム等を使用する機会があり、手袋をした状態で粘着テープを使った処理を行おうとすると、手袋に粘着テープが付着してしまい、処置に手間がかかるという問題があった。従って、医療現場では、粘着製品が付着しないような手袋、あるいは、粘着防止の技術が要望されていた。
【０００３】
特に、医療手袋として、天然ゴム（ラテックス）製、ニトリルゴム製、ポリ塩化ビニル製などの異なる材料からなる手袋が使用されているだけでなく、粘着製品についても、ゴム系、アクリル系などの異なる粘着剤が使用されており、その解決手段は、これらのいずれの組合せに対しても適用可能であることが求められている。
【０００４】
特許文献１には、操作性に優れ、粘着物を取り扱い作業にも適した手袋として、繊維製の手袋本体の表面に、シリコーン水性乳濁液を主成分とする樹脂製の皮膜層を備えた手袋が開示されている。
特許文献２には、表面に他着性／粘着性が低下したエラストマー手袋として、ポリイソプレンでコーティングされた医療手袋が開示されている。
【０００５】
しかしながら、これらの公知手袋は、予め手袋表面にコーティングが施された状態で提供されるものであり、医療現場で広く使用されている使い捨て手袋に対して、個々に適用できる技術ではない。また、これらの文献には、異なる複数の粘着剤に対して効果があるか否かについて記載はない。
【０００６】
ところで、ゲル状または液状の速乾性擦式手指消毒剤が公知である。
特許文献３には、「次の成分（Ａ）、成分（Ｂ）及び成分（Ｃ）：
（Ａ）：エタノール及び／又はイソプロパノール ４０〜９５質量％、
（Ｂ）：水溶性多価アルコール ０．２〜３質量％（好ましくは０．２〜２質量％）
（Ｃ）：脂肪酸トリグリセリド ０．０１〜０．１５質量％
を含有する手指消毒剤組成物」（請求項１）が開示されている。また、特許文献３には、前記水溶性多価アルコールが、グリセリン、ジグリセリン、エチレングリコール、プロピレングリコール、１，３−プロパンジオール、ブチレングリコール、エリスリトール、ソルビトール、及びポリエチレングリコールからなる群より選択されること（請求項２）、水溶性多価アルコールの含有量は、０．３〜２質量％であることがより好ましいこと（段落［００１４］）が記載されている。
【０００７】
特許文献４には、「有効成分のエタノールにイソプロパノールを添加してなり、その含量が日本薬局方エタノール８０〜８５ｖｏｌ％、イソプロパノール３．７〜１０ｖｏｌ％としたことを特徴とする外用殺菌消毒剤」（請求項１）が開示されている。また、特許文献４には、手荒れ防止のために、グリセリン、プロピレングリコール、ソルビトール、１，３−ブチレングリコール、ポリエチレングリコール、ヒアルロン酸塩、尿素の１種または２種以上の保湿成分を更に配合できること（請求項２）が記載されており、具体的な消毒剤として、「有効成分の日本薬局方エタノール８３ｖｏｌ％、イソプロパノール４．９ｖｏｌ％、保湿剤としてグリセリン０．９ｗ／ｖ％を精製水に添加したもの」が実施例３に記載されている。
【０００８】
特許文献３、特許文献４に記載の各消毒剤は、単なる消毒用アルコールのみでは手荒れが激しいため、手荒れ防止のために、保湿剤として微量のグリセリン等を含んでおり、その含有量の点で、本発明と異なる。また、これらの消毒剤は、手荒れ防止を念頭においていることから、直接、皮膚に塗布するものであって、手袋を着用した状態で使用するものではない。
【先行技術文献】
【特許文献】
【０００９】
【特許文献１】特開２０１２−１５４００１号公報
【特許文献２】特表２０１０−５２０９２７号公報
【特許文献３】特開２０１１−２１９４１０号公報
【特許文献４】特開２００４−１５５７１２号公報
【発明の概要】
【発明が解決しようとする課題】
【００１０】
本発明の課題は、手袋を着用した状態で粘着製品を取り扱う場合に、作業操作に影響を与えることなく、粘着製品が手袋に付着することを防止することのできる、手袋用の粘着性低減組成物を提供することにある。
【課題を解決するための手段】
【００１１】
前記課題は、本発明による、以下の成分：
（Ａ）消毒用アルコール      ６０〜９０容量％
（Ｂ）水溶性多価アルコール    ３〜３０容量％
を含む、手袋用の粘着性低減組成物により解決することができる。
【発明の効果】
【００１２】
本発明の粘着性低減組成物によれば、手袋を着用した状態で粘着製品を取り扱う場合に、粘着製品が手袋に付着することを防止することができる。また、本発明の粘着性低減組成物は、手袋の潤滑性に与える影響を無視できるか、あるいは、極めて軽度であるため、手袋を着用した作業操作に支障をきたすことがない。更に、本発明は、天然ゴム（ラテックス）製、ニトリルゴム製、ポリ塩化ビニル製などの異なる材料からなる手袋と、ゴム系、アクリル系などの異なる粘着剤との任意の組合せに対しても、粘着性低減効果を得ることができる。
【図面の簡単な説明】
【００１３】
【図１】図１は、実施例３の牽引力実験のうち、ゴム系及びアクリル系粘着剤テープを用いてエタノール８０容量％でグリセリン濃度を変化させた場合の牽引力を示すグラフである。
【発明を実施するための形態】
【００１４】
本発明の粘着性低減組成物は、各種材料からなる手袋に適用することができる。前記手袋は、使い捨て手袋であっても、繰り返し使用する手袋であってもよく、例えば、医療手袋として使用されている、手術用手袋、歯科用手袋、検査・診断用手袋などを挙げることができる。手袋の材料としては、手袋に用いられる各種材料、例えば、天然ゴム（ラテックス）、ニトリルゴム、ポリ塩化ビニル等を挙げることができる。
本発明の粘着性低減組成物は、消毒効果のある濃度で消毒用アルコールを含むため、手袋に塗布することにより手袋表面における滅菌効果が同時に得られ、別途、消毒用アルコールを用意する必要がなくなる。
【００１５】
本発明の粘着性低減組成物が粘着性低減効果を示す粘着製品としては、各種粘着剤が塗布された、医療現場で使用される各種の粘着製品、例えば、絆創膏（布絆創膏、紙絆、プラスチック絆創膏）、縫合用テープ（サージカルテープ）、ドレッシング、防水フィルム等を挙げることができる。前記粘着剤としては、例えば、ゴム系粘着剤、アクリル系粘着剤を挙げることができる。
【００１６】
本発明の粘着性低減組成物に配合する消毒用アルコールは、医療用に用いられている消毒用アルコールであれば、特に限定されるものではなく、例えば、エタノール、イソプロパノール（２−プロパノール）を挙げることができる。本発明の粘着性低減組成物は、消毒用アルコール１種を単独で、あるいは、２種以上を組み合わせて含有することができる。
【００１７】
本発明の粘着性低減組成物に配合する水溶性多価アルコールとしては、例えば、グリセリン、ポリエチレングリコール、エチレングリコール、ジエチレングリコール、プロピレングリコール、ジプロピレングリコール、１,３−プチレングリコール、ペンタエリストール、エリストール、ソルビトール及びキシリトールを挙げることができ、グリセリン、ポリエチレングリコール、エチレングリコールがより好ましい。本発明の粘着性低減組成物は、水溶性多価アルコール１種を単独で、あるいは、２種以上を組み合わせて含有することができる。
【００１８】
本発明の粘着性低減組成物は、組成物の全重量に対して、消毒用アルコールをその総量として６０〜９０容量％、水溶性多価アルコールをその総量として３〜３０容量％の含有量で含有することができる。
消毒用アルコールの含有量が６０容量％未満、あるいは、９０容量％を超えると、消毒効果が低下する。日本薬局方では、消毒用エタノールの濃度は７６．９容量％〜８１．４容量％（１５℃）と規定されている。消毒用アルコールの下限値としては、６５容量％以上が好ましく、７０容量％以上がより好ましく、７５容量％以上が更に好ましい。消毒用アルコールの上限値としては、８５容量％以下が好ましく、８０容量％以下がより好ましい。
【００１９】
水溶性多価アルコールの含有量が３容量％未満であると、充分な粘着性低減効果が得られない。水溶性多価アルコールの下限値としては、４容量％以上が好ましく、５容量％以上がより好ましく、６容量％以上が更に好ましく、７容量％以上が更に好ましく、８容量％以上が更に好ましく、９容量％以上が更に好ましく、１０容量％以上が更に好ましい。水溶性多価アルコールの含有量が３０容量％を超えると、手袋の潤滑性が必要以上に増加するため、手指の作業に注意を要する等の不都合が生じることがある。水溶性多価アルコールの上限値としては、２５容量％以下が好ましく、２０容量％以下がより好ましい。
【００２０】
本発明の粘着性低減組成物は、消毒用アルコール及び水溶性多価アルコールのみからなることもできるし、あるいは、水及び／又はそれ以外の付加成分を更に含むこともできる。前記の付加成分としては、消毒用アルコール又は消毒用組成物に添加することのできる各種成分を挙げることができ、例えば、前述の特許文献３に記載の各種成分、具体的には、殺菌消毒剤（例えば、塩化ベンザルコニウム、アルキルリン酸ベンザルコニウム等のベンザルコニウム塩、塩化ベンゼトニウム、トリクロサン、イソプロピルメチルフェノール、塩化セチルピリジニウム、レゾルシン、トリクロロカルバニド、塩化クロルヘキシジン、グルコン酸クロルヘキシジン、過酸化水素、ポピドンヨード、ヨードチンキ）、油脂類、多糖類、界面活性剤、抗炎症剤、清涼剤、血行促進剤、創傷治癒剤、粘度調整剤、ｐＨ調整剤（有機又は無機の酸、有機又は無機のアルカリ）、キレート剤、酸化防止剤、防腐剤、粉体、香料、色素等を、本発明の効果を損なわない範囲で配合することができる。
【００２１】
本発明の粘着性低減組成物は、消毒用アルコール及び水溶性多価アルコールのみから実質的になるか、あるいは、消毒用アルコール、水溶性多価アルコール、及び水のみから実質的になることが好ましい。本明細書において「のみから実質的になる」とは、粘着性低減組成物の全容量に対して、当該成分を９８％以上（好ましくは９９％以上）含有することを意味する。
【実施例】
【００２２】
以下、実施例によって本発明を具体的に説明するが、これらは本発明の範囲を限定するものではない。
【００２３】
《実施例１：粘着性低減溶液の調製》
粘着性低減溶液として、表１に示す各溶液を調製した。消毒用アルコールとしては、エタノール又はイソプロパノールを使用し、水溶性多価アルコールとしては、グリセリン、ポリエチレングリコール、エチレングリコールを使用した。なお、表１に示す構成比は、容量％である。また、比較例として、特許文献４で保湿成分として例示されている尿素を用いた。
【００２４】
【表１】
2014145141.tif 000002
【００２５】
《実施例２：粘着性低減効果の評価（官能試験）》
以下の実験では、医療手袋として、医療現場で最も広く用いられている、天然ゴム（ラテックス）製、ニトリルゴム製、ポリ塩化ビニル製の３種を用いた。
１．天然ゴム製      ：アンセルイグザミネーショングローブ（パウダーフリー）
株式会社ジェイ・エム・エス
２．ニトリルゴム製  ：SensiCare Ice（登録商標）Powder-Free Nitrile Exam Gloves
Medline Industries, Inc.
３．ポリ塩化ビニル製：TORAY、VG2.5 NP Vinyl Gloves
株式会社東レ・メディカル
【００２６】
医療現場では、様々な粘着テープが使用されているが、主にゴム系粘着剤とアクリル系粘着剤が塗布されたテープであるため、以下の２つのテープを用いて実験を行った。
１．ゴム系粘着剤    ：ニチバン  布テープ  布粘着テープNO.102N 50mm×25M
２．アクリル系粘着剤：３ＭＴＭ  マイクロポアＴＭ  サージカルテープ
【００２７】
手袋を装着した後、実施例１で調製した表１に示す各溶液０．１〜０．２ｍＬを手指に滴下し、手指を擦過させて手指全体に塗布した。
溶液を塗布しない状態を対照とし、市販のゲル状速乾性擦式手指殺菌・消毒剤「ゴージョー（登録商標）ＭＨＳ」（ゴージョージャパン株式会社）を比較例とした。ゴージョー（登録商標）ＭＨＳは、１００ｍＬ中、有効成分としてエタノール７８．８９ｍＬを含み、添加物としてプロピレングリコール、ミリスチン酸イソプロピルを含有する。
【００２８】
手袋を装着し溶液塗布後に、粘着テープ（５ｃｍ幅ｘ７ｃｍ長）を手指に貼付し、そのテープの剥がれやすさを官能検査にて以下の３段階にわけて点数化した。
レベル１：粘着性は著明に低下し、容易に剥離する（１点）。
レベル２：粘着性は低下したが、剥離にはやや時間を要する（２点）。
レベル３：粘着性の低下は乏しく、剥離操作に努力を要する（３点）。
ゴム系粘着剤テープによる評価結果（ｎ＝３）を表２に、アクリル系粘着剤テープによる評価結果（ｎ＝３）を表３に、それぞれ、示す。表中の各記号の意味は以下のとおりである：
Ｅｔａ：エタノール  ｉｓｏ：イソプロパノール
Ｇｌｙ：グリセリン  ＰＧ：ポリエチレングリコール  ＥＧ：エチレングリコール
【００２９】
官能検査の結果、平均値が２でも粘着性は低下したが、剥離にはやや時間を要するため、平均値が１．８以下のものを粘着性低減効果があったと判定した。効果がないと判定したものついては、表中で網かけを行った。
医療現場では、今まで多種多様の手指殺菌消毒剤を用いてきたが、今回の比較例同様、手袋の粘着性低減効果が得られたものはなかった。今回の実験において、単なる手指殺菌消毒剤では粘着性低減効果が得られないことが確認できた。
【００３０】
【表２】
2014145141.tif 000003
【００３１】
【表３】
2014145141.tif 000004
【００３２】
《実施例３：粘着性低減効果の評価（牽引力測定）》
手袋を装着した後、実施例１で調製した表１に示す各溶液０．１〜０．２ｍＬを手指に滴下し、手指を擦過させて手指全体に塗布した。対照および比較例は実施例２と同じとし、実施例２と同じ医療手袋および粘着テープを使用した。
溶液塗布後、粘着テープ（５ｃｍ幅ｘ１５ｃｍ長）の一方の端を手指に貼付し、もう一方の端を懸垂指示ばね式筒型手秤（株式会社三光精衡所、手秤  １ｋｇ、１０ｋｇ）に貼付した。テープが手指から剥がれるまでに要する力（テープが剥がれるまでに要した牽引力を秤において計測される重量として評価）を計測した。
【００３３】
ゴム系粘着剤テープによる評価結果（ｎ＝３）を表４に、アクリル系粘着剤テープによる評価結果（ｎ＝３）を表５に、それぞれ、示す。平均値が３００ｇ以下のものを粘着性低減効果があったと判定した。効果がないと判定したものついては、表中で網かけを行った。
【００３４】
粘着性低減溶液を使用しない場合（対照）及びアルコールに添加物を入れない場合は、テープの粘着が強いため牽引中に手袋が破れ測定不能となり、牽引力が１ｋｇ以上の場合は誤差が大きくなった。これを考慮し、１ｋｇ以上を示したデータについては一律に「＞１ｋｇ」と記入した。
牽引力に基づく粘着性低減効果の判断については、官能試験とは少し異なるが、実際には官能試験の結果のほうが使用実感により近い結果となっている。
【００３５】
【表４】
2014145141.tif 000005
【００３６】
【表５】
2014145141.tif 000006
【００３７】
《実施例４：粘着性低減溶液が作業に与える影響の評価（潤滑性）》
粘着性低減溶液を手袋に塗布することで、手袋の潤滑性が増し、処置器具などの端操作に支障をきたす可能性が考えられる。そのため粘着性低減溶液を使用する際に付与される潤滑性が、手袋を用いた作業に与える影響について検討した。
手袋を装着し溶液塗布後に、種々の小器具を把持あるいは操作し、官能検査にて以下の３段階にわけて点数化した。
レベル１：潤滑性は無視できる（１点）。
レベル２：軽度の潤滑性を認めるが、手指の作業に影響はない（２点）。
レベル３：潤滑性が増すため、手指の作業に注意を要する（３点）。
【００３８】
ゴム系粘着剤テープによる評価結果（ｎ＝３）を表６に、アクリル系粘着剤テープによる評価結果（ｎ＝３）を表７に、それぞれ、示す。
官能検査の結果、平均値が２．５以下であれば、作業に大きな支障を与えなかったが、より安全面に重視した観点から、平均値が２．０以下のものは手袋を用いた作業に影響を与えないと判定した。平均値が２．０を超えるものについて、表中で網かけを行った。
【００３９】
【表６】
2014145141.tif 000007
【００４０】
【表７】
2014145141.tif 000008
【００４１】
《実施例５：粘着性低減効果を示す溶液の検討》
実施例２及び実施例３の手袋の素材別に粘着性低減効果があったと判定された溶液（表２及び表３中の網かけなし）を表８に示す。更に実施例４で粘着性低減溶液が作業に影響を与えると判定したものついては、表８中で網かけを行った。
表８より、粘着性低減には溶液中のアルコールの濃度ではなく、グリセリン、ポリエチレングリコール、エチレングリコールなどの添加物とその濃度が影響することが明らかとなった。
【００４２】
【表８】
2014145141.tif 000009
【００４３】
《実施例６：粘着性低減効果を示す添加物の配合率の検討》
実施例５よりグリセリン、ポリエチレングリコール、エチレングリコールなどの添加物が粘着性低減に影響を与えることが明らかになったため、添加物の最適な濃度を検討した。実施例３の牽引力実験のうち、ゴム系及びアクリル系粘着剤テープを用いてエタノール８０％でグリセリン濃度を変化させた場合の牽引力を図１に示す。
実施例３のように、粘着性低減効果の判定値として、牽引力３００ｇ以下を使用した場合、ゴム系粘着剤とアクリル系粘着剤とで、粘着性低減効果に必要なグリセリン濃度は、それぞれ、４容量％以上、３容量％以上となり、粘着剤の種類によって必要量が異なることが確認された。本発明においては、いずれの素材（粘着剤および手袋）の組合せに対しても粘着性低減効果を示す量で添加物を含むことが特に好ましいが、１種類の素材のみを念頭においた使用状況も充分に想定され、１種類の素材に対して粘着性低減効果を示す量で添加物を含む態様も、本発明に含まれる。
なお、粘着性低減効果の判定に使用する判定値は、前記の各実施例で使用した判定値に限定されるものではなく、想定する使用状況に応じて、適宜、変更することができる。
【００４４】
《実施例７：臨床における粘着性低減効果の検討》
５名の外科系医師を対象として、手袋を着用してアクリル系粘着剤テープ（３ＭＴＭ  マイクロポアＴＭ  サージカルテープ）を用いた創部の処置を行う際に、手袋に粘着性低減溶液（１０〜１５％のグリセリンと７０〜８０％のエタノール（必要により滅菌水）を含む溶液）を０．１〜０．２ｍＬ塗布した場合と塗布しない場合において、テープが手袋に粘着する程度を評価した。
臨床における検討を行った５名とも、溶液を塗布した場合にテープは手袋に粘着せず、テープを患者に貼付する操作が極めて容易であるとの所見であった。
【産業上の利用可能性】
【００４５】
本発明は、医療手袋に適用することができる。
【図１】
2014145141.tif 000010